(57)【要約】【課題】ディジタルコンテンツについて、アフィリエイト・プログラムを適切に適用する。【解決手段】ディジタルコンテンツ１１と、ディジタルコンテンツ１１のダイジェスト版コンテンツを作成する際に抽出してもよい抽出可能部分を示す抽出可能識別子１２とからなる構造を含むコンテンツデータを用いて、アフィリエイト・プログラムを実現する。【効果】複製が容易であるディジタルコンテンツについて、ダイジェスト版の作成の際に抽出してもよい部分を著作権者などが指定できる。抽出可能部分は、著作権者が複製を容認した部分と考えられ、著作権侵害の問題がない。作成されたダイジェスト版について試聴機会が与えられれば、完全版のディジタルコンテンツの購入を促すことができる。そして、購入された場合には、ダイジェスト版を紹介した者に成果報酬を支払うことにより、アフィリエイト・プログラムを適用できる。【選択図】      図１
2008250643.tif 000002
【特許請求の範囲】
【請求項１】
ディジタルコンテンツと、前記ディジタルコンテンツのうち、当該ディジタルコンテンツのダイジェスト版コンテンツを作成する際に抽出してもよい抽出可能部分を示す抽出可能識別子とからなる構造を含むことを特徴とするコンテンツデータ。
【請求項２】
コンピュータを、
請求項１に記載のコンテンツデータについて、少なくとも１つの抽出可能識別子が指定された場合に、指定された抽出可能識別子を取得する取得手段、
前記取得手段によって取得された抽出可能識別子に対応する抽出可能部分を前記コンテンツデータから抽出する抽出手段、
前記抽出手段によって抽出可能部分が複数抽出された場合に、それら抽出された抽出可能部分を結合して前記ディジタルコンテンツのダイジェスト版となるダイジェスト版コンテンツを作成する結合手段、
として機能させるためのダイジェスト版作成プログラム。
【請求項３】
請求項２に記載のダイジェスト版作成プログラムによって作成されたダイジェスト版コンテンツに、識別子を付与する識別子付与手段と、前記ダイジェスト版コンテンツに、該コンテンツを購入する際に用いられる店舗情報を付与する店舗情報付与手段と、前記識別子及び前記店舗情報が付与されたダイジェスト版コンテンツを他の装置に送信する送信手段とを含むことを特徴とする通信端末装置。
【請求項４】
識別子及び店舗情報が付与されているダイジェスト版コンテンツに付与されている店舗情報を利用して対応するディジタルコンテンツとそれに関連がある商品との少なくとも一方が購入された場合に、該ダイジェスト版コンテンツに付与されている識別子に基づいて該コンテンツを送信した通信端末装置を特定する装置特定手段と、前記装置特定手段によって特定された通信端末装置について成果報酬の支払い処理を行う報酬支払い処理手段とを含むことを特徴とするアフィリエイトサーバ装置。
【請求項５】
前記装置特定手段は、前記ディジタルコンテンツを販売する店舗に付与されている店舗識別子と、前記ダイジェスト版コンテンツに付与されている店舗情報とが一定の関係である場合に、前記ダイジェスト版コンテンツに付与されている識別子に基づいて該コンテンツを送信した通信端末装置を特定することを特徴とする請求項４記載のアフィリエイトサーバ装置。
【発明の詳細な説明】
【技術分野】
【０００１】
本発明はコンテンツデータ、ダイジェスト版作成プログラム、通信端末装置、アフィリエイトサーバ装置に関し、特にディジタルコンテンツについてアフィリエイトを実現するためのコンテンツデータ、ダイジェスト版作成プログラム、通信端末装置、アフィリエイトサーバ装置に関する。
【背景技術】
【０００２】
一般に、アフィリエイト・プログラムは、ユーザが何らかのトランザクション（例えば、商品の購入、アンケートへの記入、会員登録など）をブラウザにより発生させてはじめて広告料が支払われる成功報酬型の広告配信手法である。アフィリエイト・プログラムによれば、広告主は、広告出稿に際してリスクを負うことなく確実な成果（すなわち、トランザクションの発生）を得た上で広告料を支払うことができる。
【０００３】
Ｗｅｂページを用いたアフィリエイト・プログラムの具体的な処理手順は以下の通りである。まず、ユーザのブラウザが、広告媒体となるＷｅｂページを公開しているＷｅｂサイト（マーチャントサイト）にアクセスし、このマーチャントサイトに設定されている広告主のサイト（マーチャントサイト）へのリンクを指示してマーチャントサイトへアクセスする。マーチャントサイトにてユーザが、何らかのトランザクションを発生させたならば、そのトランザクションの内容に応じてアフィリエイトに報酬を支払う。
【０００４】
ところで、特許文献１では、紹介者が、携帯端末を用いて、商品案内を生成し、他者が商品を購入した場合にポイントを紹介者に付与している。これにより、アフィリエイト・プログラムを実現している。
【特許文献１】特開２００６−３０９３４２号公報
【発明の開示】
【発明が解決しようとする課題】
【０００５】
上述したアフィリエイト・プログラムは、物理的に存在する商品に関する広告について適用することができる。これに対し、ディジタルコンテンツについては、上述したアフィリエイト・プログラムを適切に適用することはできない。ディジタルコンテンツについては、複製が容易であり、ネットワークを介して授受することが可能だからである。これでは、ディジタルコンテンツに関する著作権を保護することができない。
【０００６】
ディジタルコンテンツに関する著作権を保護する観点から、複製ができないようにプロテクト処理を行うことも可能である。しかしながら、これではコンテンツの内容を広告によって紹介することが困難であり、アフィリエイト・プログラムを適用することができないと考えられる。
本発明は上述した従来技術の問題点を解決するためになされたものであり、その目的はディジタルコンテンツについて、アフィリエイト・プログラムを適切に実現するための、コンテンツデータ、ダイジェスト版作成プログラム、通信端末装置、アフィリエイトサーバ装置を提供することである。
【課題を解決するための手段】
【０００７】
本発明の請求項１に記載の発明は、ディジタルコンテンツ（例えば、図１中のディジタルコンテンツ１１に対応）と、前記ディジタルコンテンツのうち、当該ディジタルコンテンツのダイジェスト版コンテンツを作成する際に抽出してもよい抽出可能部分を示す抽出可能識別子（例えば、図１中の抽出可能識別子１２に対応）とからなる構造を含むことを特徴とするコンテンツデータを提供する。
【０００８】
請求項１に記載の発明によれば、複製が容易であるディジタルコンテンツについて、ダイジェスト版の作成の際に抽出してもよい部分を著作権者などが指定できる。抽出可能部分は、著作権者が複製を容認した部分と考えられるので、著作権侵害の問題がない。作成されたダイジェスト版について試聴機会が与えられれば、完全版のディジタルコンテンツの購入を促すことができる。そして、購入された場合には、ダイジェスト版を紹介した者に成果報酬を支払うことによって、アフィリエイト・プログラムを適切に実現できる。
【０００９】
本発明の請求項２に記載の発明は、コンピュータを、
請求項１に記載のコンテンツデータについて、少なくとも１つの抽出可能識別子が指定された場合に、指定された抽出可能識別子を取得する取得手段（例えば、図３中のステップＳ１２に対応）、
前記取得手段によって取得された抽出可能識別子に対応する抽出可能部分を前記コンテンツデータから抽出する抽出手段（例えば、図３中のステップＳ１３に対応）、
前記抽出手段によって抽出可能部分が複数抽出された場合に、それら抽出された抽出可能部分を結合して前記ディジタルコンテンツのダイジェスト版となるダイジェスト版コンテンツを作成する結合手段（例えば、図３中のステップＳ１４に対応）、
として機能させるためのダイジェスト版作成プログラムを提供する。
【００１０】
請求項２に記載の発明によれば、コンピュータの処理によってダイジェスト版を効率良く生成することができる。作成されたダイジェスト版について試聴機会が与えられれば、完全版としてのディジタルコンテンツの購入を促すことができる。そして、購入された場合には、ダイジェスト版を紹介した者に成果報酬を支払うことによって、アフィリエイト・プログラムを適切に実現できる。
【００１１】
本発明の請求項３に記載の発明は、請求項２に記載のダイジェスト版作成プログラムによって作成されたダイジェスト版コンテンツに、識別子を付与する識別子付与手段（例えば、図７中のダイジェスト版ＩＤ生成部２１５に対応）と、前記ダイジェスト版コンテンツに、該コンテンツを購入する際に用いられる店舗情報を付与する店舗情報付与手段（例えば、図７中のダイジェスト版ＩＤ通知部２１７に対応）と、前記識別子及び前記店舗情報が付与されたダイジェスト版コンテンツを他の装置に送信する送信手段（例えば、図７中の送受信部２１８に対応）とを含むことを特徴とする通信端末装置を提供する。
請求項３に記載の発明によれば、識別子及び店舗情報を付与することにより、ダイジェスト版コンテンツに付与されている店舗情報を用いて完全版のディジタルコンテンツが購入された場合に、識別子に基づいて、ダイジェスト版を紹介した者に成果報酬を支払うことによって、アフィリエイト・プログラムを適切に実現できる。
【００１２】
本発明の請求項４に記載の発明は、識別子及び店舗情報が付与されているダイジェスト版コンテンツに付与されている店舗情報を利用して対応するディジタルコンテンツとそれに関連がある商品との少なくとも一方が購入された場合に、該ダイジェスト版コンテンツに付与されている識別子に基づいて該コンテンツを送信した通信端末装置を特定する装置特定手段（例えば、図７中の紹介者抽出部３０４に対応）と、前記装置特定手段によって特定された通信端末装置について成果報酬の支払い処理を行う報酬支払い処理手段（例えば、図７中の手数料受け取り・分配部３０３に対応）とを含むことを特徴とするアフィリエイトサーバ装置を提供する。
請求項４に記載の発明によれば、ダイジェスト版コンテンツに付与されている店舗情報を用いて完全版のディジタルコンテンツが実店舗で購入された場合に、識別子に基づいて装置を特定し、ダイジェスト版を紹介した者に成果報酬を支払うことによって、アフィリエイト・プログラムを適切に実現できる。
【００１３】
本発明の請求項５に記載の発明は、請求項４に記載のアフィリエイトサーバ装置において、前記装置特定手段は、前記ディジタルコンテンツを販売する店舗に付与されている店舗識別子と、前記ダイジェスト版コンテンツに付与されている店舗情報とが一定の関係である場合に、前記ダイジェスト版コンテンツに付与されている識別子に基づいて該コンテンツを送信した通信端末装置を特定することを特徴とする。
請求項５に記載の発明によれば、店舗情報と店舗識別子が示す店舗とが一致した場合のみならず、系列店などの一定の関係であった場合においてもアフィリエイト・プログラムを実現できる。これにより、ネットワークからダウンロードして購入されたコンテンツのダイジェスト版コンテンツを紹介された者が、系列店である実店舗で購入した場合でも、その紹介者に成果報酬を支払うことができ、アフィリエイト成立の機会を増やすことができる。
【発明の効果】
【００１４】
本発明によれば、ディジタルコンテンツのダイジェスト版を生成できるようにし、このダイジェスト版コンテンツを試聴した者が購入した場合に成果報酬を支払うことにより、ディジタルコンテンツについてアフィリエイト・プログラムを適切に実現できるという効果がある。
【発明を実施するための最良の形態】
【００１５】
以下、本発明の実施の形態を、図面を参照して説明する。なお、以下の説明において参照する各図では、他の図と同等部分は同一符号によって示されている。
以下、コンテンツデータの構造について説明した後、そのコンテンツを用いてアフィリエイト・プログラムを実現するためのシステム構成、具体的な処理内容等について説明する。
（データ構造）
図１は、本発明によるコンテンツデータの構造を示す概念図である。同図（ａ）を参照すると、コンテンツデータ１は、ディジタルコンテンツ１１と、ディジタルコンテンツ１１のうち、そのディジタルコンテンツのダイジェスト版を作成する際に抽出してもよい抽出可能部分を示す抽出可能識別子１２とを含んでいる。
【００１６】
ディジタルコンテンツ１１は、本例では、ボーカル付きの音楽データであり、「イントロ」、「Ａメロ」、「Ｂメロ」、「サビＡ」、「サビＢ」の各部分から構成されている。「イントロ」は曲の前奏のことを指す。「Ａメロ」は歌い出しの部分を指す。「Ｂメロ」はＡメロの次にくるメロディーであり、サビへと続く部分を指す。「サビＡ」、「サビＢ」はその曲の中で最も盛り上がる部分であり、その曲の強調部分を指す。このディジタルコンテンツ１１には、各部分の「開始位置」、「終了位置」に関する時間情報が含まれている。この時間情報は、曲の先頭時刻位置を「00:00:00」とし、その位置からの相対的な時刻位置を示している。
【００１７】
同図（ａ）では、ディジタルコンテンツ１１を構成する部分のうち、抽出可能識別子１２が「可」になっている部分がダイジェスト版コンテンツ作成の際に抽出できる部分である。一方、抽出可能識別子１２が「否」になっている部分はダイジェスト版作成の際に抽出できない部分である。本例では、「イントロ」、「Ａメロ」、「サビＡ」が抽出可能である。これら抽出可能な部分は、そのディジタルコンテンツの著作権者が予め指定した、ダイジェスト版コンテンツを作成する際に抽出してもよい部分である。
【００１８】
同図（ｂ）は、ダイジェスト版コンテンツを作成する際の操作画面を示す概略図である。同図には、携帯電話機を通信端末装置として使用する場合の操作画面が示されている。同図を参照すると、「ダイジェスト版を作成する部分を選択して下さい」というメッセージが画面に表示されている。それと共に、「イントロ」、「Ａメロ」、「サビＡ」について抽出可能であることを示す白抜きの四角形が、「Ｂメロ」、「サビＢ」について抽出不可であることを示す黒塗りの四角形が、それぞれ表示されている。携帯電話機を操作する者が画面上のカーソルを移動させ、抽出可能な「イントロ」、「Ａメロ」、「サビＡ」のうちの少なくとも１つを選択操作する。例えば、携帯電話機に設けられているカーソル移動ボタンおよび決定ボタンを利用して選択すると、白抜きの四角形に「×」が付加される。この選択操作の後、「決定」の部分が選択操作されると、選択された部分が抽出されて結合される。これにより、ダイジェスト版コンテンツが作成される。
【００１９】
図２（ａ）は、「イントロ」、「Ａメロ」、および、「サビＡ」が選択操作された場合を示している。この場合、これら３つの部分が結合されたダイジェスト版コンテンツを作成することができる。
同図（ｂ）は、「イントロ」、および、「Ａメロ」が選択操作された場合を示している。この場合、これら２つの部分が結合されたダイジェスト版コンテンツを作成することができる。
同図（ｃ）は、「Ａメロ」、および、「サビＡ」が選択操作された場合を示している。この場合、これら２つの部分が結合されたダイジェスト版コンテンツを作成することができる。
同図（ｄ）は、「イントロ」、および、「サビＡ」が選択操作された場合を示している。この場合、これら２つの部分が結合されたダイジェスト版コンテンツを作成することができる。
【００２０】
このように、抽出可能識別子が「可」になっている部分について、ユーザの操作によって任意の箇所を任意の順序で指定すれば、指定した識別子に対応する部分が抽出され、それらが結合されてダイジェスト版が生成される。
なお、抽出可能識別子をすべて「可」にしても良い。しかしながら、その場合、すべての部分を選択する操作をするとディジタルコンテンツ１１全体が抽出され、完全版のディジタルコンテンツが生成されてしまう。これを防止するためには、抽出可能な部分について、指定できる個数を制限しておけば良い。例えば、抽出可能識別子をすべて「可」とし、そのうち最大３個まで指定できるように条件を設定しておけば良い。要するに、抽出可能識別子をＮ個「可」とし、そのうちＭ個（Ｍ＜Ｎ）まで指定できるように条件を設定すれば良い（Ｍ、Ｎは自然数）。
【００２１】
以上のような構造のコンテンツを採用すれば、複製が容易であるディジタルコンテンツについて、ダイジェスト版の作成の際に抽出してもよい部分を著作権者などが指定できる。抽出可能部分は、著作権者が複製を容認した部分と考えられるので、著作権侵害の問題がない。作成されたダイジェスト版について試聴機会が与えられれば、完全版のディジタルコンテンツの購入を促すことができる。そして、購入された場合には、ダイジェスト版を紹介した者に成果報酬を支払うことによって、アフィリエイト・プログラムを適切に実現できる。
【００２２】
（ダイジェスト版作成プログラム）
次に、上述したダイジェスト版コンテンツを作成するために用いるプログラムについて説明する。このプログラムは、携帯電話機などの通信端末装置内部のＣＰＵ（Central Processing Unit）などによって実行される。
図３に示されているように、最初に、抽出可能識別子が指定されたか判断される（ステップＳ１１）。少なくとも１つの抽出可能識別子が指定された場合（ステップＳ１１でＹｅｓ）、指定された抽出可能識別子を取得する（ステップＳ１２）。次に、取得された抽出可能識別子に対応する抽出可能部分をコンテンツデータ１から抽出する（ステップＳ１３）。そして、抽出された抽出可能部分を結合する（ステップＳ１４）。なお、指定された抽出可能識別子が１つのみの場合は、ステップＳ１４における結合処理は不要である。つまり、ステップＳ１４では、抽出可能部分が複数抽出された場合に、それら抽出された抽出可能部分を結合する処理が行われる。
【００２３】
以上の処理によって、上述したダイジェスト版コンテンツを作成することができる。作成されたダイジェスト版コンテンツは、通信端末装置内部の記憶部に一旦記憶される。その後、ダイジェスト版コンテンツについて、他の装置への送信が可能となる。他の装置への送信は、ユーザの操作によって行われる。
なお、このプログラム自体は、通信端末装置の出荷の際に通信端末装置内部の記憶部に予め記憶させておいても良いし、任意のサーバ装置に記憶させておきそれを後で通信端末装置にダウンロードしても良い。
【００２４】
以上説明したように、このプログラムは、ＣＰＵを以下の手段として機能させるダイジェスト版作成プログラムである。すなわち、図１又は図２のコンテンツデータ１について、少なくとも１つの抽出可能識別子が指定された場合に、指定された抽出可能識別子を取得する取得手段、この取得手段によって取得された抽出可能識別子に対応する抽出可能部分をコンテンツデータ１から抽出する抽出手段、この抽出手段によって抽出された抽出可能部分を結合して図１又は図２のディジタルコンテンツ１１のダイジェスト版となるダイジェスト版コンテンツを作成する結合手段、として機能させる。
【００２５】
このプログラムを用いれば、コンピュータの処理によってダイジェスト版コンテンツを効率良く生成することができる。そして、作成されたダイジェスト版コンテンツが他の装置へ送信され、試聴機会が与えられれば、完全版としてのディジタルコンテンツの購入を促すことができる。そして、購入された場合には、ダイジェスト版を紹介した者に成果報酬を支払うことによって、アフィリエイト・プログラムを適用することができる。
【００２６】
（システム構成例）
アフィリエイト・プログラムを実現するためのシステム構成例について、図４を参照して説明する。同図（ａ）を参照すると、本システムは、ダイジェスト版コンテンツを生成する通信端末装置２１と、通信端末装置２１から送信されたダイジェスト版コンテンツを受信し、さらに他の通信端末装置２３へ送信する通信端末装置２２と、通信端末装置２２から送信されたダイジェスト版コンテンツを受信する通信端末装置２３と、アフィリエイトサーバ装置３０と、コンテンツサーバ装置５０とを含んで構成されている。
【００２７】
通信端末装置２１は、完全版のディジタルコンテンツを購入し、その内容を他者に紹介する紹介者が使用する通信端末装置である。この通信端末装置２１において、紹介者の操作により、ダイジェスト版コンテンツが作成される。
通信端末装置２２は、ダイジェスト版コンテンツを中継する中継者が使用する通信端末装置である。通信端末装置２１において作成されたダイジェスト版コンテンツは、この通信端末装置２２によって受信され、装置内部の記憶部に一旦記憶される。通信端末装置２２内部の記憶部に記憶されたダイジェスト版コンテンツは、中継者の操作により、通信端末装置２３へ送信される。
【００２８】
通信端末装置２３は、通信端末装置２２から送信されたダイジェスト版コンテンツを受信する通信端末装置である。通信端末装置２２から送信され、通信端末装置２３において受信されたダイジェスト版コンテンツは、通信端末装置２３内部の記憶部に一旦記憶される。この記憶されたダイジェスト版コンテンツを試聴した者が完全版のディジタルコンテンツを購入すれば、ダイジェスト版を紹介した者（すなわち通信端末装置２１を使用している紹介者）に成果報酬が支払われる。これにより、アフィリエイト・プログラムが実現される。さらに、中継者である、通信端末装置２２を使用している者に成果報酬の一部が支払われるようにしても良い。
【００２９】
ところで、中継者の通信端末装置２２が存在しない場合も考えられる。この場合、通信端末装置２３はダイジェスト版コンテンツを通信端末装置２１から直接取得することになる。この場合、ダイジェスト版コンテンツは、通信端末装置２３内部の記憶部に一旦記憶され、それを試聴した者が完全版のディジタルコンテンツを購入すれば、ダイジェスト版を紹介した者（すなわち通信端末装置２１を使用している紹介者）に成果報酬が支払われる。
なお、後述する実施例２の場合は、同図（ｂ）のように、実店舗に設けられてコンテンツの購入処理等を管理するための店舗サーバ装置６０が追加された構成になる。また、後述する実施例４の場合は、同図（ｃ）のように、各通信端末装置同士のメール送受信を制御するメールサーバ装置７０が追加された構成になる。
【００３０】
（コンテンツＩＤ）
上述したように作成されたダイジェスト版コンテンツには、その元となったコンテンツや紹介者などを識別するためのコンテンツＩＤが付加された状態で授受される。このコンテンツＩＤの例について、図５を参照して説明する。
同図において、本例のコンテンツＩＤは、ダイジェスト版コンテンツが作成された日付を示す「日付情報」、ダイジェスト版コンテンツが作成された時刻を示す「時刻情報」、その元となった完全版コンテンツを識別するための「元コンテンツＩＤ情報」、その元となった完全版コンテンツが購入された店舗の系列店舗を示す「系列店舗ＩＤ情報」、その元となった完全版コンテンツが購入された店舗を示す「店舗ＩＤ情報」を含む構成になっている。
【００３１】
さらに、ダイジェスト版コンテンツが紹介される都度、「紹介者識別子」が順次コンテンツＩＤに付与される。つまり、ダイジェスト版コンテンツが作成される際に用いられた携帯電話機から他の携帯電話機に送信された場合に「紹介者識別子（１番目）」が付加され、その後別の携帯電話機に送信される都度（すなわち、紹介される都度）、「紹介者識別子（２番目）」、「紹介者識別子（３番目）」、…、「紹介者識別子（ｎ番目）」が順次付与される（ｎは自然数）。このように、ダイジェスト版コンテンツが送信される都度、「紹介者識別子」を順次付加することにより、どのような経路で紹介されたのか把握することができ、紹介者へのアフィリエイト・プログラムを適切に実現できる。
なお、付加可能な紹介者識別子の数を制限しても良い。このようにすれば、コンテンツが無制限に配布されることを防止できる。
【実施例１】
【００３２】
本例は、ダイジェスト版コンテンツ流通型アフィリエイトの成果報酬型の例である。すなわち、ダイジェスト版として抽出しても良い部分が予め設定されているコンテンツを購入した紹介者所有の通信端末装置でダイジェスト版コンテンツを生成し、それを取得した別の通信端末装置の所有者がコンテンツを購入した場合、紹介者へ成果報酬を支払う、という構成である。
【００３３】
図６は、本システムによってアフィリエイト・プログラムを実現する場合の実施例１における処理例を示すシーケンス図である。同図には、コンテンツを購入し他者に紹介する紹介者が所有し操作する通信端末装置２１、中継者が所有し操作する通信端末装置２２、コンテンツの購入者が所有し操作する通信端末装置２３、アフィリエイトサーバ装置３０、コンテンツを保持しているコンテンツサーバ装置５０、の間で授受されるデータや各装置における処理が示されている。
【００３４】
同図において、最初に、通信端末装置２１が操作されてコンテンツサーバ装置５０から完全版のコンテンツが取得される（ステップＳ１０１）。コンテンツを取得するためには、コンテンツの購入が前提となるのが一般的である。もっとも無料で配布しても良い。通信端末装置２１によって取得されたコンテンツには、そのコンテンツに関するカタログが含まれている。また、後述するダイジェスト版作成条件が、メタデータとして、そのコンテンツに含まれている。
【００３５】
次に、コンテンツを取得した通信端末装置２１において、ダイジェスト版が作成される（ステップＳ１０２）。上述したように、ダイジェスト版コンテンツを作成する際に抽出してもよい抽出可能部分を示す抽出可能識別子が予め定められており、それを選択する操作が行われることにより、ダイジェスト版コンテンツが作成される。このダイジェスト版コンテンツには、対象コンテンツを購入すなわち注文するためのＵＲＬ（uniform resource locator）が付加される。また、紹介者を識別するための紹介者ＩＤ、コンテンツを識別するためのコンテンツＩＤ、他の装置への転送数の上限値を示す上限値情報が、ダイジェスト版コンテンツに埋め込まれる。なお、コンテンツサーバ装置５０からの許可がある場合には、口コミ情報（クチコミ情報）がダイジェスト版コンテンツに付与される。
【００３６】
次に、ダイジェスト版作成の可否について判定が行われる（ステップＳ１０３）。この判定においては、使い捨て紹介者ＩＤが顧客ＩＤ（回線契約）と紐付けて管理される。ダイジェスト版作成が許可されれば、作成されたダイジェスト版コンテンツが中継者の通信端末装置２２に通知される（ステップＳ１０４）。ダイジェスト版コンテンツの通信端末装置２２への通知は、赤外線を用いた無線通信や、Bluetooth（登録商標）を用いた通信によって行われる。また、通信端末装置２１においてダイジェスト版コンテンツをＩＣカードに記憶させ、それを通信端末装置２２において読出すことによって通知しても良い。ダイジェスト版コンテンツを添付した電子メールを通信端末装置２１から通信端末装置２２に送信することによって通知しても良い。
【００３７】
このダイジェスト版コンテンツを受信した中継者の通信端末装置２２では、紹介者ＩＤに加えて、中継者ＩＤが追加される（ステップＳ１０５）。その後、さらにダイジェスト版コンテンツが通信端末装置２３に通知される（ステップＳ１０６）。
通信端末装置２３において、ダイジェスト版コンテンツが試聴され、そのコンテンツに含まれるＵＲＬ部分を選択して決定ボタンを押下するなど、ＵＲＬが指定されると、対象コンテンツの購入処理が開始される（ステップＳ１０７）。この購入手続においては、通信端末装置２３とコンテンツサーバ装置５０との間で、電話番号認証などによる利用者認証が行われる（ステップＳ１０８）。この際、コンテンツＩＤ、紹介者ＩＤ、中継者ＩＤが通知される。
【００３８】
その後、コンテンツサーバ装置５０からアフィリエイトサーバ装置３０へ、紹介者ＩＤ、中継者ＩＤが通知されることにより、広告料の支払い処理が開始される（ステップＳ１０９）。
アフィリエイトサーバ装置３０では、予め定められている分配率に従い、紹介者と中継者に、広告料を分配するための処理が行われる（ステップＳ１１０）。例えば、広告料を、紹介者６０％、中継者４０％に分配する。
【００３９】
その後、アフィリエイトサーバ装置３０から通信端末装置２１、２２へ、広告料の支払いが行われる（ステップＳ１１１）。なお、実際の広告料の支払いは、ポイント又はギフト券の付与や、銀行口座等への振込みによって行われ、ステップＳ１１１は広告料の支払い処理が完了した旨の通知処理である。
以上の処理を実現するための、通信端末装置２１及び２３、アフィリエイトサーバ装置３０、コンテンツサーバ装置５０の内部構成例が図７に示されている。同図においては、ダイジェスト版コンテンツを中継する通信端末装置についての図示が省略されている。
【００４０】
同図において、通信端末装置２１は、取得したコンテンツを記憶するコンテンツ格納部２１１と、ユーザ情報を記憶するユーザ情報格納部２１２と、完全版コンテンツからダイジェスト版コンテンツを作成するダイジェスト版コンテンツ作成・編集部２１３と、ダイジェスト版コンテンツの作成可否を確認するダイジェスト版コンテンツ作成可否確認部２１４と、ダイジェスト版コンテンツを識別するための識別子となるダイジェスト版ＩＤを生成するダイジェスト版ＩＤ生成部２１５と、ユーザ情報を暗号化するユーザ情報暗号化部２１６と、生成されたダイジェスト版ＩＤを通知するダイジェスト版ＩＤ通知部２１７と、各種の情報を送受信する送受信部２１８とを含んで構成されている。なお、送受信部２１８によって送受信される各種の情報には、完全版コンテンツを購入する際に用いられる店舗情報が付与される。店舗情報の付与は、例えば、ダイジェスト版ＩＤ通知部２１７において行われる。
【００４１】
つまり、通信端末装置２１は、上述したダイジェスト版作成プログラムを実行することによって作成されたダイジェスト版コンテンツに、識別子を付与する識別子付与機能と、ダイジェスト版コンテンツに、該コンテンツを購入する際に用いられる店舗情報を付与する店舗情報付与機能と、識別子及び店舗情報が付与されたダイジェスト版コンテンツを他の装置に送信する送信機能とを有している。
通信端末装置２３は、通信端末装置２１と同様の構成を有している。
【００４２】
アフィリエイトサーバ装置３０は、紹介履歴を記憶する紹介履歴格納部３０１と、ユーザ情報と口座情報を記憶するユーザ情報・口座情報データベース３０２と、成果報酬である手数料の受け取り額について分配処理を行う手数料受け取り・分配部３０３と、ダイジェスト版コンテンツから紹介者のＩＤを抽出する紹介者抽出部３０４と、購買履歴を受信する購買履歴・受信部３０５とを含んで構成されている。紹介者抽出部３０４は、紹介者のＩＤを抽出し、ダイジェスト版コンテンツを送信した通信端末装置を特定する装置特定手段として機能する。また、手数料受け取り・分配部３０３は、成果報酬の支払い処理を行う報酬支払い処理手段として機能する。
【００４３】
コンテンツサーバ装置５０は、完全版のコンテンツを記憶しているコンテンツ格納部５０１と、ダイジェスト版コンテンツを作成する条件を設定するダイジェスト版作成条件設定部５０２と、購買したことを示す購買情報をアフィリエイトサーバ装置３０に通知する購買情報通知部５０３と、購入履歴を管理する購入履歴管理部５０４と、通信端末装置からのコンテンツ購入注文を受付ける注文受付部５０５と、各種の情報を送受信する送受信部５０６とを含んで構成されている。
以上の構成および処理により、成果報酬を実現でき、アフィリエイト・プログラムを実現することができる。
【実施例２】
【００４４】
本例は、ダイジェスト版コンテンツ流通型アフィリエイトの来店報酬型の例である。すなわち、ダイジェスト版として抽出しても良い部分が予め設定されているコンテンツを購入した紹介者所有の通信端末装置でダイジェスト版コンテンツを生成し、それを取得した別の通信端末装置の所有者が同一店舗又は系列店舗に来店した場合に、紹介者へ成果報酬を支払う、という構成である。
【００４５】
図８は、本システムによってアフィリエイト・プログラムを実現する場合の実施例２における処理例を示すシーケンス図である。同図には、コンテンツを購入し他者に紹介する紹介者が所有し操作する通信端末装置２１、中継者が所有し操作する通信端末装置２２、コンテンツの購入者が所有し操作する通信端末装置２３、アフィリエイトサーバ装置３０、コンテンツを保持しているコンテンツサーバ装置５０、店舗サーバ装置６０、の間で授受されるデータや各装置における処理が示されている。
【００４６】
同図に示されている処理は、基本的に図６を参照して上述した実施例１の場合と同様である。実施例１の場合と異なる点は、通信端末装置を用いたコンテンツの購入が、実店舗において行われる点である。この場合、店舗サーバ装置６０と通信端末装置２３との間で購入手続、および、広告料の支払い処理が行われる。
具体的には、以下の処理が行われる。まず、完全版のコンテンツから生成されるダイジェスト版コンテンツには、対象コンテンツを実店舗で購入するためのＵＲＬが付加される（ステップＳ１０２ａ）。このＵＲＬは、例えば実店舗の所在地や実店舗への経路を示す地図情報を画面に表示するためのものである。つまり、ダイジェスト版コンテンツには、完全版コンテンツを実店舗で購入するために、実店舗へ誘導するための案内情報が含まれている。このため、そのＵＲＬ部分を押下することにより、完全版コンテンツ購入のための案内情報が出力される（Ｓ１０７ａ）。例えば、実店舗の場所を含む地図情報を表示する、実店舗までの経路を音声で案内する等が考えられる。
【００４７】
実店舗には、コンテンツの購入処理等を管理するための店舗サーバ装置６０が設けられている。通信端末装置２３と共に実店舗に移動し、完全版コンテンツを購入する際、店舗サーバ装置６０に接続されている非接触読取装置（図示せず）と、通信端末装置２３との間で非接触通信による利用者認証が行われる（ステップＳ１０８ａ）。利用者認証は電話番号認証などによって行われる。これにより、通信端末装置２３から店舗サーバ装置６０へ、コンテンツＩＤ、紹介者ＩＤ、中継者ＩＤが通知される。
その後、店舗サーバ装置６０からアフィリエイトサーバ装置３０へ、紹介者ＩＤ、中継者ＩＤが通知されることにより、広告料の支払い処理が開始される（ステップＳ１０９ａ）。
【００４８】
実施例２において、その他の処理については、上述した実施例１の場合と同様である。
以上の処理を実現するための、通信端末装置２１及び２３、アフィリエイトサーバ装置３０、コンテンツサーバ装置５０、店舗サーバ装置６０の内部構成例が図９に示されている。同図の構成は、図７の構成に、店舗サーバ装置６０を追加した構成である。
同図において、店舗サーバ装置６０は、購買履歴を通知する購買履歴通知部６０１と、来店履歴を通知する来店履歴通知部６０２と、決済を行う決済機能６０３と、系列店舗ＩＤを確認することによって系列店舗において購入されたか判定する系列店舗判定部６０４と、ダイジェスト版ＩＤを受信するダイジェスト版ＩＤ受信部６０５とを含んで構成されている。
【００４９】
また、アフィリエイトサーバ装置３０内の紹介者抽出部３０４は、紹介者のＩＤを抽出し、ダイジェスト版コンテンツを送信した通信端末装置を特定するほか、ディジタルコンテンツを販売する店舗に付与されている店舗識別子と、ダイジェスト版コンテンツに付与されている店舗情報とが一定の関係である場合に、ダイジェスト版コンテンツに付与されている識別子に基づいてそのコンテンツを送信した通信端末装置を特定する。こうすることにより、店舗情報と店舗識別子が示す店舗とが一致した場合のみならず、系列店などの一定の関係であった場合においてもアフィリエイト・プログラムを実現できる。このため、ネットワークからダウンロードして購入されたコンテンツのダイジェスト版コンテンツを紹介された者が、系列店である実店舗で購入した場合でも、その紹介者に成果報酬を支払うことができ、アフィリエイト成立の機会を増やすことができる。
なお、図９において、コンテンツサーバ装置５０の機能と店舗サーバ装置６０の機能とをまとめ、１つのサーバ装置で両方の機能を実現してもよい。
その他の各装置の構成は、図７を参照して説明した実施例１の場合と同様である。
【実施例３】
【００５０】
本例は、ダイジェスト版コンテンツ流通型アフィリエイトを実現する場合に、通信キャリアのコアネットワーク内にアフィリエイトサーバ装置を設置して管理する例である。すなわち、アフィリエイトサーバ装置への登録によりＩＤが付与された後、紹介者所有の通信端末装置でダイジェスト版コンテンツを生成し、それを取得した別の通信端末装置の所有者がコンテンツを購入した場合、紹介者へ成果報酬を支払う、という構成である。
【００５１】
また、本例では、コアネットワーク内のアフィリエイトサーバ装置でコンテンツを管理するので、上述した抽出可能識別子の内容を柔軟に変更するという販売戦略も考えられる。例えば、楽曲発売後半年間は、ダイジェスト版を作成する際に抽出してもよい部分として「サビＡ」及び「サビＢ」のみを設定しておき、半年経過後は「イントロ」、「Ａメロ」、「サビＡ」、「サビＢ」を設定する、という販売戦略が考えられる。このように抽出可能識別子の内容を柔軟に変更するためには、ダイジェスト版を作成する際にアフィリエイトサーバ装置への問い合わせを行い、アフィリエイトサーバ装置において抽出可能識別子を設定すればよい。抽出可能識別子が設定された状態においては、ディジタルコンテンツに抽出可能識別子が付加されている状態になるので、アフィリエイト・プログラムに用いられるコンテンツの構造自体は実施例１、実施例２の場合と同様である。
【００５２】
図１０、図１１は、本システムによってアフィリエイト・プログラムを実現する場合の実施例３における処理例を示すシーケンス図である。これらの図には、コンテンツを購入し他者に紹介する紹介者が所有し操作する通信端末装置２１、中継者が所有し操作する通信端末装置２２、コンテンツの購入者が所有し操作する通信端末装置２３、アフィリエイトサーバ装置３０、コンテンツを保持しているコンテンツサーバ装置５０、の間で授受されるデータや各装置における処理が示されている。
【００５３】
図１０において、最初に、通信端末装置２１が操作されてコンテンツサーバ装置５０から完全版のコンテンツが取得される（ステップＳ２０１）。コンテンツを取得するためには、コンテンツの購入が前提となるのが一般的である。もっとも無料で配布しても良い。通信端末装置２１によって取得されたコンテンツには、そのコンテンツに関するカタログが含まれている。
【００５４】
また、コンテンツサーバ装置５０からアフィリエイトサーバ装置３０へ、ダイジェスト版を作成する際の対象箇所、改変権付与鍵、配布数上限、対象コンテンツを購入すなわち注文するためのＵＲＬ、ダイジェスト版を作成可能な期限に関する情報が提供される（ステップＳ２０２）。これらの情報の提供は、随時、バッチ処理的に行われる。なお、実店舗に誘導する場合は、実施例２の場合と同様に、実店舗の所在地や実店舗への経路を示す地図情報を画面に表示するためのＵＲＬが付与される。
このようにコンテンツサーバ装置５０からアフィリエイトサーバ装置３０へ、各情報の提供を随時行うことにより、動的な設定変更が可能となる。
【００５５】
その後、通信端末装置２１とアフィリエイトサーバ装置３０との間で、電話番号認証などによる利用者認証が行われる（ステップＳ２０３）。このとき、取得されたコンテンツを識別するためのコンテンツＩＤが通知されると共に、ダイジェスト版作成許可依頼がアフィリエイトサーバ装置３０へ送信される。アフィリエイトサーバ装置３０では、ダイジェスト版の作成可否について判定が行われる（ステップＳ２０４）。この判定においては、使い捨て紹介者ＩＤが顧客ＩＤ（回線契約）と紐付けて管理される。ダイジェスト版作成が許可されれば、ダイジェスト版を作成する際の対象箇所（すなわち抽出可能識別子）、抽出可能識別子を設定したり変更したりするために用いられる改変権付与鍵、配布数上限、作成可能期限、転送数上限、対象コンテンツを購入すなわち注文するためのＵＲＬ、使い捨て紹介者ＩＤ、が通知される（ステップＳ２０５）。なお、使い捨て紹介者ＩＤは、通信端末装置２１内で生成しても良い。この生成の際、電話番号を暗号化することによって生成しても良い。通信端末装置２１内で使い捨て紹介者ＩＤを生成すれば、ステップＳ２０５における、使い捨て紹介者ＩＤの通知は不要である。
【００５６】
次に、コンテンツを取得した通信端末装置２１において、ダイジェスト版が作成される（ステップＳ２０６）。上述したように、ダイジェスト版コンテンツを作成する際に抽出してもよい抽出可能部分を示す抽出可能識別子が予め定められており、それを選択する操作が行われることにより、ダイジェスト版コンテンツが作成される。このダイジェスト版コンテンツには、対象コンテンツを購入すなわち注文するためのＵＲＬが付加される。また、紹介者を識別するための紹介者ＩＤ、コンテンツを識別するためのコンテンツＩＤ、他の装置への転送数の上限値を示す上限値情報が、ダイジェスト版コンテンツに埋め込まれる。なお、コンテンツサーバ装置５０からの許可がある場合には、口コミ情報（クチコミ情報）がダイジェスト版コンテンツに付与される。
【００５７】
次に、作成されたダイジェスト版コンテンツが中継者の通信端末装置２２に通知される（ステップＳ２０７）。ダイジェスト版コンテンツの通信端末装置２２への通知は、赤外線を用いた無線通信や、Bluetooth（登録商標）を用いた通信によって行われる。また、通信端末装置２１においてダイジェスト版コンテンツをＩＣカードに記憶させ、それを通信端末装置２２において読出すことによって通知しても良い。ダイジェスト版コンテンツを添付した電子メールを通信端末装置２１から通信端末装置２２に送信することによって通知しても良い。
【００５８】
その後、通信端末装置２１とアフィリエイトサーバ装置との間で、電話番号認証などによる利用者認証が行われる（ステップＳ２０８）。このとき、コンテンツを識別するためのコンテンツＩＤが通知されると共に、ダイジェスト版転送許可依頼がアフィリエイトサーバ装置３０へ送信される。
ダイジェスト版の転送を許可する場合、使い捨て紹介者ＩＤがアフィリエイトサーバ装置３０から通信端末装置２２に通知される（ステップＳ２０９）。なお、使い捨て紹介者ＩＤを通信端末装置２１内で生成する場合、ステップＳ２０８およびＳ２０９の処理は不要である。
その後、中継者の通信端末装置２２では、紹介者ＩＤに加えて、中継者ＩＤが追加される（ステップＳ２１０）。なお、転送数制限の値が「０」の場合、中継者ＩＤが追加された後、他の装置への転送はできないように制御される。
【００５９】
図１１に移行し、中継者の通信端末装置２２から通信端末装置２３へ、中継者ＩＤが追加されたダイジェスト版コンテンツが通知される。ダイジェスト版コンテンツの通信端末装置２３への通知は、赤外線を用いた無線通信や、Bluetooth（登録商標）を用いた通信によって行われる。また、通信端末装置２２においてダイジェスト版コンテンツをＩＣカードに記憶させ、それを通信端末装置２３において読出すことによって通知しても良い。ダイジェスト版コンテンツを添付した電子メールを通信端末装置２２から通信端末装置２３に送信することによって通知しても良い。
【００６０】
通信端末装置２３において、ダイジェスト版コンテンツが試聴され、そのコンテンツに含まれるＵＲＬ部分を選択して決定ボタンを押下するなど、ＵＲＬが指定されると、対象コンテンツの購入処理が開始される（ステップＳ３０２）。この購入手続においては、通信端末装置２３とコンテンツサーバ装置５０との間で、電話番号認証などによる利用者認証が行われる（ステップＳ３０３）。この際、コンテンツＩＤ、紹介者ＩＤ、中継者ＩＤが通知される。
【００６１】
その後、コンテンツサーバ装置５０からアフィリエイトサーバ装置３０へ、紹介者ＩＤ、中継者ＩＤが通知されることにより、広告料の支払い処理が開始される（ステップＳ３０４）。
アフィリエイトサーバ装置３０では、予め定められている分配率に従い、紹介者と中継者に、広告料を分配するための処理が行われる（ステップＳ３０５）。例えば、広告料を、アフィリエイトサーバ装置の管理者５０％、紹介者３０％、中継者２０％に分配する。
【００６２】
その後、アフィリエイトサーバ装置３０から通信端末装置２１、２２へ、広告料の支払いが行われる（ステップＳ３０６）。なお、実際の広告料の支払いは、ポイント又はギフト券の付与や、銀行口座等への振込みによって行われ、ステップＳ１１１は広告料の支払い処理が完了した旨の通知処理である。
以上の処理を実現するための、通信端末装置２１及び２３、アフィリエイトサーバ装置３０、コンテンツサーバ装置５０の内部構成例が図１２に示されている。同図においては、ダイジェスト版コンテンツを中継する通信端末装置についての図示が省略されている。
【００６３】
同図において、通信端末装置２１は、取得したコンテンツを記憶するコンテンツ格納部２１１と、ユーザ情報を記憶するユーザ情報格納部２１２と、完全版コンテンツからダイジェスト版コンテンツを作成するダイジェスト版コンテンツ作成・編集部２１３と、ダイジェスト版コンテンツの作成可否を確認するダイジェスト版コンテンツ作成可否確認部２１４と、生成されたダイジェスト版ＩＤを通知するダイジェスト版ＩＤ通知部２１７と、各種の情報を送受信する送受信部２１８とを含んで構成されている。なお、送受信部２１８によって送信されるダイジェスト版コンテンツには、そのコンテンツの識別子、完全版コンテンツを購入する際に用いられる店舗情報が付与される。コンテンツ識別子の付与、店舗情報の付与は、例えば、ダイジェスト版ＩＤ通知部２１７において行われる。
通信端末装置２３は、通信端末装置２１と同様の構成を有している。
【００６４】
アフィリエイトサーバ装置３０は、紹介履歴を記憶する紹介履歴格納部３０１と、ユーザ情報と口座情報を記憶するユーザ情報・口座情報データベース３０２と、成果報酬である手数料の受け取り額について分配処理を行う手数料受け取り・分配部３０３と、ダイジェスト版コンテンツから紹介者のＩＤを抽出する紹介者抽出部３０４と、ダイジェスト版コンテンツの作成可否を判定するダイジェスト版コンテンツ作成可否判定部３０６と、ユーザ情報を暗号化するユーザ情報暗号化部３０７と、ダイジェスト版コンテンツを識別するための識別子となるダイジェスト版ＩＤを生成するダイジェスト版ＩＤ生成部３０８と、各種の情報を送受信する送受信部３０９と、ダイジェスト版コンテンツを作成する条件を管理するダイジェスト版作成条件管理部３１０と、決済履歴を復号する決済履歴復号部３１１とを含んで構成されている。
【００６５】
コンテンツサーバ装置５０は、完全版のコンテンツを記憶しているコンテンツ格納部５０１と、ダイジェスト版コンテンツを作成する条件を設定するダイジェスト版作成条件設定部５０２と、購買したことを示す購買情報をアフィリエイトサーバ装置３０に通知する購買情報通知部５０３と、購入履歴を管理する購入履歴管理部５０４と、通信端末装置からのコンテンツ購入注文を受付ける注文受付部５０５と、各種の情報を送受信する送受信部５０６とを含んで構成されている。
以上の処理により、成果報酬を実現でき、アフィリエイト・プログラムを実現することができる。
【実施例４】
【００６６】
本例は、ダイジェスト版コンテンツ流通型アフィリエイトを実現する場合に、電子メール等で送信する際にＩＤを付与して管理する例である。すなわち、紹介者所有の通信端末装置でダイジェスト版コンテンツを生成し、それを電子メール等で送信する際に通信キャリアのコアネットワーク内のアフィリエイトサーバ装置でＩＤが付与され、それを取得した別の通信端末装置の所有者がコンテンツを購入した場合、紹介者へ成果報酬を支払う、という構成である。
【００６７】
図１３、図１４は、本システムによってアフィリエイト・プログラムを実現する場合の実施例４における処理例を示すシーケンス図である。これらの図には、コンテンツを購入し他者に紹介する紹介者が所有し操作する通信端末装置２１、中継者が所有し操作する通信端末装置２２、コンテンツの購入者が所有し操作する通信端末装置２３、アフィリエイトサーバ装置３０、コンテンツを保持しているコンテンツサーバ装置５０、メールサーバ装置７０、の間で授受されるデータや各装置における処理が示されている。
【００６８】
図１３に示されている処理が図１０に示されている処理と異なる点は、通信端末装置２１から通信端末装置２２へダイジェスト版コンテンツを通知する際、メールサーバ装置７０を経由する点である（Ｓ２０７ａ、Ｓ２０７ｂ）。また、図１４に示されている処理が図１０に示されている処理と異なる点は、通信端末装置２２から通信端末装置２３へダイジェスト版コンテンツを通知する際、メールサーバ装置７０を経由する点である（Ｓ３０１ａ、Ｓ３０２ｂ）。すなわち、通信端末装置間でコンテンツを授受する場合に、実施例３では赤外線を用いた無線通信や、Bluetooth（登録商標）を用いた端末同士の直接通信によって行われるのに対し、実施例４ではダイジェスト版コンテンツを添付した電子メールの授受によって行われる。
【００６９】
なお、実施例４を採用すると、ダイジェスト版コンテンツの授受の際にメールサーバ装置を経由するので、パケット通信料が必要になる場合がある。
以上の処理を実現するための、通信端末装置２１及び２３、アフィリエイトサーバ装置３０、コンテンツサーバ装置５０の内部構成は、図１２を参照して説明した実施例３の場合と同様である。ただし、上述したように、ダイジェスト版コンテンツは、通信端末装置間で送受信される電子メールに添付されることによって授受される。
【００７０】
（変形例）
以上、本発明の実施形態などについて説明したが、本発明は上記の内容に限定されるものではなく、その技術思想の範囲内で様々な変形が可能である。変形例としては、例えば以下のようなものが考えられる。
（１）上記の説明では、携帯電話機でダイジェスト版コンテンツを作成したり、作成したダイジェスト版コンテンツを携帯電話機同士で授受したりする場合について説明したが、同等の機能を有していれば、ノート型コンピュータ、ＰＤＡ（Personal Digital Assistant）等の通信端末装置を利用しても良い。
【００７１】
（２）上記の説明では、アフィリエイト・プログラムの対象となるディジタルコンテンツが音楽コンテンツの場合について説明したが、これに限らず映像コンテンツについても同様に本発明を適用できる。すなわち、ディジタル映像コンテンツと、そのコンテンツのうち、ダイジェスト版コンテンツを作成する場合に抽出してもよい部分を示す抽出可能識別子とからなる構造を含むコンテンツデータを用意し、これを利用すれば上記と同様にアフィリエイト・プログラムを適切に実現できる。
【００７２】
（３）上記の説明では、ダイジェスト版コンテンツに付与されている店舗情報を利用して対応するディジタルコンテンツが購入された場合に、成果報酬の支払いを行っているが、そのディジタルコンテンツに関連がある商品が購入された場合に、成果報酬の支払いを行ってもよい。例えば、音楽コンテンツのダイジェスト版を取得して試聴した者によって、同じアーティストの映像コンテンツが購入された場合に、成果報酬の支払いを行ってもよい。例えば、シングル曲についてのダイジェスト版を取得して試聴した者によって、ライブ版ＤＶＤ(Digital Versatile Disc)が購入された場合に、成果報酬の支払いを行ってもよい。
【００７３】
Ｗｅｂサイトで購入された場合に限らず、実店舗において購入された場合についても同様である。また、同じアーティストに限らず、そのダイジェスト版コンテンツと何らかの関連がある商品が購入された場合に、成果報酬の支払いを行ってもよい。
すなわち、この場合、識別子及び店舗情報が付与されているダイジェスト版コンテンツに付与されている店舗情報を利用して対応するディジタルコンテンツとそれに関連がある商品との少なくとも一方が購入されると、成果報酬の支払いが行われることになる。
【産業上の利用可能性】
【００７４】
本発明は、ディジタルコンテンツについてアフィリエイト・プログラムを実現する場合に利用することができる。
【図面の簡単な説明】
【００７５】
【図１】（ａ）は本発明によるコンテンツデータの構造を示す概念図、（ｂ）はダイジェスト版コンテンツを作成する際の操作画面を示す概略図である。
【図２】（ａ）〜（ｄ）は、ダイジェスト版コンテンツの作成例を示す図である。
【図３】ダイジェスト版作成プログラムの処理内容を示すフローチャートである。
【図４】図１（ａ）のコンテンツデータを用いてアフィリエイト・プログラムを実現するためのシステム構成例を示すブロック図であり、（ａ）は実施例１の場合、（ｂ）は実施例２の場合、（ｃ）は実施例４の場合をそれぞれ示す図である。
【図５】コンテンツＩＤの構成例を示す図である。
【図６】本システムによってアフィリエイト・プログラムを実現する場合の実施例１における処理例を示すシーケンス図である。
【図７】実施例１の場合の各装置の内部構成例を示す図である。
【図８】本システムによってアフィリエイト・プログラムを実現する場合の実施例２における処理例を示すシーケンス図である。
【図９】実施例２の場合の各装置の内部構成例を示す図である。
【図１０】本システムによってアフィリエイト・プログラムを実現する場合の実施例３における処理例を示すシーケンス図である。
【図１１】本システムによってアフィリエイト・プログラムを実現する場合の実施例３における処理例を示すシーケンス図である。
【図１２】実施例３の場合の各装置の内部構成例を示す図である。
【図１３】本システムによってアフィリエイト・プログラムを実現する場合の実施例４における処理例を示すシーケンス図である。
【図１４】本システムによってアフィリエイト・プログラムを実現する場合の実施例４における処理例を示すシーケンス図である。
【符号の説明】
【００７６】
１  コンテンツデータ
１１  ディジタルコンテンツ
１２  抽出可能識別子
２１〜２３  通信端末装置
３０  アフィリエイトサーバ装置
５０  コンテンツサーバ装置
６０  店舗サーバ装置
７０  メールサーバ装置
２１１  コンテンツ格納部
２１２  ユーザ情報格納部
２１３  ダイジェスト版コンテンツ作成・編集部
２１４  ダイジェスト版コンテンツ作成可否確認部
２１５  ダイジェスト版ＩＤ生成部
２１６  ユーザ情報暗号化部
２１７  ダイジェスト版ＩＤ通知部
２１８  送受信部
３０１  紹介履歴格納部
３０２  ユーザ情報・口座情報データベース
３０３  手数料受け取り・分配部
３０４  紹介者抽出部
３０５  購買履歴・受信部
３０６  ダイジェスト版コンテンツ作成可否判定部
３０７  ユーザ情報暗号化部
３０８  ダイジェスト版ＩＤ生成部
３０９  送受信部
３１０  ダイジェスト版作成条件管理部
３１１  決済履歴復号部
５０１  コンテンツ格納部
５０２  ダイジェスト版作成条件設定部
５０３  購買情報通知部
５０４  購入履歴管理部
５０５  注文受付部
５０６  送受信部
６０１  購買履歴通知部
６０２  来店履歴通知部
６０３  決済機能
６０４  系列店舗判定部
６０５  ダイジェスト版ＩＤ受信部
【図１】
2008250643.tif 000003
【図２】
2008250643.tif 000004
【図３】
2008250643.tif 000005
【図４】
2008250643.tif 000006
【図５】
2008250643.tif 000007
【図６】
2008250643.tif 000008
【図７】
2008250643.tif 000009
【図８】
2008250643.tif 000010
【図９】
2008250643.tif 000011
【図１０】
2008250643.tif 000012
【図１１】
2008250643.tif 000013
【図１２】
2008250643.tif 000014
【図１３】
2008250643.tif 000015
【図１４】
2008250643.tif 000016